【事件の表示】
　平成　９年特許願第　６４０８５号「インクジェットプリンタの回復装置」拒絶査定不服審判事件〔平成１０年　９月２２日出願公開、特開平１０−２５０１１３〕について、次のとおり審決する。
【結　論】
　本件審判の請求は、成り立たない。
【理　由】
第１　手続の経緯
　　　本願は、平成９年３月１８日の出願であって、平成１５年８月７日付けで拒絶査定がなされ、これに対し、同年９月１７日付けで拒絶査定に対する審判請求がなされるとともに、同年１０月１６日付けで明細書についての手続補正（以下、「本件補正」という。）がなされたものである。
　　
第２　補正の却下の決定
　　
［補正の却下の決定の結論］
　　　平成１５年１０月１６日付けの手続補正を却下する。
　　
［理由］
１．補正後の本願発明について
　　
　　　本件補正により、特許請求の範囲の請求項２は
「記録媒体にインクを噴射して記録を行う記録ヘッドと、該記録ヘッドのノズル面に接離可能に接触する吸引キャップを有し該吸引キャップを通じて記録ヘッドのインクを吸引する吸引ポンプ手段と、該吸引ポンプ手段を駆動制御する制御手段とを備えるインクジェットプリンタの回復装置において、
　　前記吸引ポンプ手段は、ポンプハウジング内において相対移動可能な２個のピストン部材を有し、
　　前記制御手段は、
　前記吸引キャップをノズル面に密着させて前記吸引ポンプ手段により前記記録ヘッドからインクを吸引する一つの吸引動作において、前記２つのピストン部材の間隔を、一つの最大吸引負圧に向け間欠的かつ徐々に吸引負圧が増大する周期とストローク量とで順次変化させて最終的に目標の間隔とすることを特徴とするインクジェットプリンタの回復装置。」
から、
「記録媒体にインクを噴射して記録を行う記録ヘッドと、該記録ヘッドのノズル面に接離可能に接触する吸引キャップを有し該吸引キャップを通じて記録ヘッドのインクを吸引する吸引ポンプ手段と、該吸引ポンプ手段を駆動制御する制御手段とを備えるインクジェットプリンタの回復装置において、
　　前記吸引ポンプ手段は、ポンプハウジング内において相対移動可能な２個のピストン部材を有し、
　　前記制御手段は、
　前記吸引キャップをノズル面に密着させた状態で前記記録ヘッドからインクを吸引するために、前記２つのピストン部材の間のポンプ室を最小状態から所定の大きさに拡大する吸引動作、及びその拡大状態から最小状態に戻す動作を一連の動作として行い、　
　前記一つの吸引動作において、前記２つのピストン部材の間隔を、一つの最大吸引負圧に向け間欠的かつ徐々に吸引負圧が増大する周期とストローク量とで順次変化させて最終的に目標の間隔とすることを特徴とするインクジェットプリンタの回復装置。」
と補正された。
　
　　　上記請求項２の補正は、補正前の請求項２に記載した発明特定事項である「制御手段」について「前記吸引キャップをノズル面に密着させて前記吸引ポンプ手段により前記記録ヘッドからインクを吸引する一つの吸引動作において」を「前記吸引キャップをノズル面に密着させた状態で前記記録ヘッドからインクを吸引するために、前記２つのピストン部材の間のポンプ室を最小状態から所定の大きさに拡大する吸引動作、及びその拡大状態から最小状態に戻す動作を一連の動作として行い、　前記一つの吸引動作において、」と限定するものと認められるから、特許法第１７条の２第４項第２号の特許請求の範囲の減縮を目的とするものに該当する。
　　　そこで、本件補正後の請求項２に係る発明（以下、「本願補正発明」という。）が特許出願の際独立して特許を受けることができるものであるか（平成６年改正前特許法第１７条の２第５項において準用する同法第１２６条第４項の規定に適合するか）について以下に検討する。
　
２．引用発明の認定
（１）原査定の拒絶の理由に引用され、本願の出願前である平成８年３月１９日に頒布された「特開平８−７２２６６号公報」（以下、「引用例１」という。）には、次の事項が図面と共に記載されている。
　
ア．段落【００３１】
「インク噴射ヘッド１４は、図示しない多数個のインク流路と、それらインク流路に対応して設けられた多数個のノズルを含むものである。インク流路には、フレーム１２に固定され、あるいはキャリッジ１６に載置された図示しないインク供給装置からインクが供給される。・・・。インクは、プラテン１０とインク噴射ヘッド１４との間に供給される記録用紙３２に、キャリッジ１６の移動に伴って噴射され、それにより１行分の画像が形成される。」
　
イ．段落【００３２】−【００３３】
「非記録位置にあるインク噴射ヘッド１４に対向する位置にはキャップ装置３４が設けられている。キャップ装置３４はプラテン１０の一端の側方に設けられており、インク噴射ヘッド１４に対向する位置にキャップゴム３６を備えている。キャップゴム３６の中央部には、幅１．５mm×長さ２０mm×深さ１mmの大きさの窪み３７が形成されている。この窪み３７を囲むキャップゴム３６の先端面が、インク噴射ヘッド１４の先端面のノズル列を囲む部分に密着することによって、ノズル列が気密に覆われる。以下、単に、ノズルが覆われると称することにする。また、窪み３７の底面には孔が形成されており、キャップ装置３４の本体に形成された図示しないインク通路に接続されている。インク通路は、吸引ポンプ３８に吸引チューブ４０によって接続されている。
　キャップ装置３４は、矢印Ｅ方向に移動可能とされている。常には、後方の退避位置にあるが、記録終了後にインク噴射ヘッド１４が記録終了位置から非記録位置に移動させられると、それに連動して前進させられるようになっている。」
　
ウ．段落【００３６】
「吸引ポンプ３８は、図２に示すように、駆動装置５４と共に駆動装置付吸引ポンプ５６を構成しており、この駆動装置付吸引ポンプ５６が前記キャップ装置３４，キャップ装置３４を進退させるキャップ装置移動装置および吸引チューブ４０等と共に吸引装置５８を構成している。吸引ポンプ３８は、軸方向に真っ直ぐに延びた円筒状の本体６０と、その本体６０の内部に本体６０に対して軸方向に相対移動可能に嵌合された一対の可動部材としてのピストン６２，６４とを備えている。本実施例においては、本体６０が固定され、ピストン６２，６４が移動させられることによって、ピストン６２，６４と本体６０とが相対移動させられるようになっている。」
　
エ．段落【００４０】
「ピストン６２がフランジ９２，９３間に嵌合された状態においては、ピストン６２の溝９８より内周側の部分が、軸方向に圧縮され、フランジ９２，９３に弾性的に当接させられることになる。なお、ピストン６２は、駆動軸７０の２個のフランジ９２，９３に挟まれた状態となるため、駆動軸７０に対して軸方向に移動不能となる。
　
オ．段落【００４５】−【００４６】
「駆動装置５４は、上述の駆動軸７０，７２、カムフォロワ８６，１０２、カム溝９０，１０４が形成されたカム８８および駆動源としての電動モータであるポンプ駆動モータ１３０等を備えている。カム８８がカム軸回りにポンプ駆動モータ１３０の駆動により回転させられると、カムフォロワ８６，１０２と駆動軸７０，７２とがカム溝９０，１０４の作用により駆動軸７０，７２の軸方向に移動させられ、これら駆動軸７０，７２と共にピストン６２，６４が移動させられるのである。カム溝９０，１０４は、ピストン６２，６４が後述するように移動させられるように形成されている。カム溝９０，１０４が形成されたカム８８は、電動モータ１３０の回転を軸方向の直線運動に変換する運動変換機能と、ピストン６２，６０の移動速度を決定する速度決定機能との両方を備えることになる。　上記ポンプ駆動モータ１３０と、前記キャリッジ駆動モータ２８およびワイパ駆動モータ４６とは、当該インクジェット記録装置の制御装置３０により駆動回路を介して制御される。制御装置３０は、ＣＰＵ１３２，ＲＡＭ１３３，ＲＯＭ１３４，入力部１３５，出力部１３６等を備えたものであり、インクジェット記録装置全体の作動を制御するものであるが、図３には、吸引ポンプ３８の作動に関連する部分のみが記載されている。」
　
カ．段落【００５０】−【００５１】
「インク噴射ヘッド１４が非記録位置にあり、ノズルがキャップゴム３６によって覆われた状態にある間に、吸引スイッチ１４０が操作されれば、吸引作動プログラムが実行され、ポンプ駆動モータ１３０が制御される。本実施例においては、ポンプ駆動モータ１３０は、吸引、吐出が１回行われる間駆動されるようになっている。一方、吸引スイッチ１４１が操作されれば、吸引，吐出が複数回行われるようになっている。
　吸引スイッチ１４０，１４１は、インク噴射不良が生じた場合，メンテナンスを行う場合等インクを吸引する必要がある場合に操作されるスイッチである。吸引スイッチ１４１は、吸引スイッチ１４０の操作による吸引では、インク噴射不良が直らなかった場合，インク供給装置のインクカートリッジが交換された場合等インクを多量に吸引する必要がある場合に操作される。ノズルに気泡，塵等が溜まることが原因で噴射不良が生じた場合には、通常、吸引スイッチ１４０が操作される。」　
　　
キ．段落【００５１】−【００５７】
「以下、駆動装置付吸引ポンプ５６の作動について説明する。　
　駆動装置付吸引ポンプ５６の吸引ポンプ３８において、通常は、ピストン６２，６４は、図４の（Ａ）に示す位置にある。ピストン６２が吸入口６６より図における左側にあり、ピストン６４がフランジ９３に当接する位置にある。また、吐出口６８はピストン６４の外周面（厳密には大径部１１０，１１２）によって塞がれている。
　ポンプ駆動モータ１３０の作動によりカム８８が回転させられる。（Ｂ）に示すように、ピストン６４のみが右方へ移動させられ、ピストン６２は静止したままに保たれてポンプ室６９の容積が増大させられる。ポンプ室６９が負圧になり、ノズル内のインクが吸引され、吸入口６６からポンプ室６９に吸入される。厳密にいえば、インクは、キャップゴム３６の窪み３７内の空気が吸入された後に吸入される。ピストン６４の右方への移動に伴って、ポンプ室６９の容積が増大させられる間、インクの吸入が継続される。
　ポンプ室６９の容積が（Ｃ）に示す大きさになると、ピストン６２がピストン６４と共に同じ速度で右方へ移動させられる。ポンプ室６９の容積が一定に保たれたままでピストン６２，６４が移動させられるのである。この間においても、ポンプ室６９が大気圧になるまでインクは吸引され、吸入口６６からポンプ室６９に流入する。ピストン６２，６４の移動速度が非常に遅い場合には、ポンプ室６９の容積の増大に伴う吸入口６６からのインクおよび空気の流入によって、ポンプ室６９の圧力を常に大気圧に保つことも可能であるが、本実施例においては、ピストン６２，６４がポンプ室６９の圧力がインク等の流入により大気圧に戻るより早く移動させられる。そのため、ポンプ室６９が、容積の増加に伴って負圧にされ、ポンプ室６９の容積が一定に保たれている間においても、インクが吸引され、吸入口６６からポンプ室６９に流入するのである。
　（Ｄ）に示すように、吐出口６８が開放され、吸入口６６が塞がれると、ピストン６４の移動が停止させられ、ピストン６２のみが右方へ移動させられる。ポンプ室６９の容積が減少させられ、それに伴ってポンプ室６９に吸入されたインクが吐出口６８から吐出される。インクは、吐出チューブ４８を経て廃インクタンク５２に排出される。
　本実施例においては、吸入口６６が開放されている間は、ポンプ室６９の容積が一定に保たれ、吸入口６６が塞がれて吐出口６８が開放された後、容積が減少させられる。そのため、吸入口６６からインクが逆流することが回避される。本実施例の駆動装置付吸引ポンプ５６においては、一対のピストン６２，６４が設けられ、かつ、ピストン６２，６４が各々別個に移動させられるため、ピストン６２，６４間に形成されるポンプ室６９の容積をインクが逆流しないように変化させることができるのである。
　また、ピストン６２は、（Ｅ）に示すように、フランジ９３が吐出口６８の右縁にあるピストン６４に当接するまで移動させられる。この場合には、ポンプ室６９の容積はフランジ９３の外周に形成される環状の空間に対応する大きさとなり、非常に小さい。このように、ポンプ室６９の容積を非常に小さくできるのは、吸引ポンプ３８が２個のピストン６２，６４を備えており、吐出口６８近傍でこれらを当接させることができるからである。なお、フランジ９３の外径をハウジング６０の内径とほぼ同じにすれば、吐出終了時のポンプ室６９の容積を殆ど０にすることができ、理論的には０にすることが可能である。以上の作動の後、（Ｆ）に示すように、ピストン６２，６４は共に左方へ移動させられ、（Ａ）に示す状態に戻される。」
　
　　　上記記載キの駆動装置付吸引ポンプにおけるピストン６２、６４の動作が、記載オにおける制御装置３０によるものであることは明らかである。また、インクジェット記録装置におけるインクの吸引がインクジェット記録装置の回復といえることは常識であるから、駆動装置付き吸引ポンプをはじめとするインク吸引機構を有する引用例１記載のインクジェット記録装置はインクジェット記録装置の回復装置ということができる。
　　　してみれば、以上の記載ア〜カを含む引用例１には、以下の発明（以下、「引用発明」という。）が記載されているものと認められる。
　
「記録用紙３２にインクを噴射して記録を行うインク噴射ヘッド１４と、該インク噴射ヘッド１４の先端面のノズル列を囲む部分に進退移動可能に密着するキャップゴム３６を有し該キャップゴム３６を通じてインク噴射ヘッドのインクを吸引する吸引装置５８と、該吸引装置５８を駆動制御する制御装置３０とを備えるインクジェット記録装置の回復装置において、
　　前記吸引装置５８は、本体６０内において相対移動可能な一対のピストン６２，６４を有し、
　　前記制御装置３０は、
　前記キャップゴム３６をインク噴射ヘッド１４の先端面のノズル列を囲む部分に密着させた状態で前記インク噴射ヘッド１４からインクを吸引するために、前記一対のピストン６２，６４の間のポンプ室６９がピストン６４がピストン６２のフランジ９３に当接する状態から一定の容積に拡大する吸引動作、及びその拡大状態からピストン６４がピストン６２のフランジ９３に当接する状態に戻す動作を一連の動作として行うインクジェット記録装置の回復装置。」
　　
（２）原査定の拒絶の理由に引用され、本願の出願前である平成６年１２月６日に頒布された「特開平６−３３６０３４号公報」（以下、「引用例２」という。）には、次の事項が図面と共に記載されている。
　　
ク．段落【００１９】−【００２１】
「この実施例において、インクタンク３を、キャリッジ３０にセットしてレバー３３を下げると、中空針９がインクタンク３の連通管４３に陥入する。この状態でヘッドユニット１にキャップ部材４を装着して、ポンプ５を作動させると、ポンプ５の吸引力がキャップ部材４を介してノズル開口２７、２７、２７‥‥に作用する。この負圧は第１のインク供給路４５、フィルタ部材５１、第２のインク供給路４７、中空針９を介してインクタンク３に作用してフォームに吸収されているインクがこれら流路に流れ込む。所定時間、例えば０．１乃至１秒が経過した段階でポンプを一時停止させて、吸引動作を停止する。所定時間、例えば０．１乃至１秒が経過した段階で再びポンプ５を作動させてフォーム１１からインクを吸い出す。
　このようにポンプ５を間欠駆動することにより、インク供給路を流れるインクの速度がＶ１、例えば１ｍｍ／秒以下で、しかも流量が０．０１ｃｃ／秒以下と極めて低い値に抑えられるため、整流となってフィルタ部材５１を通過することになり、フィルタ部材５１のメッシュによる泡立ちが防止される。なお、この際に気泡が発生したとしても、気泡Ｆ（図９（イ））は、フィルタ部材５１のメッシュで砕かれながらこれを通過し（同図（ロ））、細かい気泡ｆ、ｆ、ｆ‥‥となってインク供給路４７（同図（ハ））からヘッドユニット１に流れ込む。
　このような吸引動作を間欠的に複数回実行することにより、泡立ちを可及的に防止しながらインクタンク３からヘッドユニット１に至る流路にインクを充填する。このようにしてインクタンク３からヘッドユニット１の全ての流路にインクが流れ込んだ段階で、ポンプ５を連続的に２乃至１０秒間、つまりインクの流速がＶ２、具体的には約０．２ｃｃ／秒の高流速での吸引を継続させると、インクは速度Ｖ２の高速流となってタンク３からヘッドユニット１に流れ、ヘッドユニット１に流れ込んでいた小さな気泡やまた流路の壁面に付着している気泡を、その高速流により記録ヘッド１側に流し、ノズル開口２７からキャップ部材４に排出させる。この高速流によりインクを充填しても、インクタンク３からノズル開口に至る流路には既にインクが充填されているため、泡立ちを生じることはない。」
　　
３．本願補正発明と引用発明との対比
　　　本願補正発明と引用発明とを対比する。
　　
　　　引用発明の「記録用紙３２」、「インク噴射ヘッド１４」、「インク噴射ヘッドの先端面のノズル列を囲む部分」、「キャップゴム３６」、「吸引装置５８」、「制御装置３０」、「インクジェット記録装置」、「本体６０」、「ピストン６２，６４」、「ピストン６４がピストン６２のフランジ９３に当接する状態」は、それぞれ、本願補正発明の「記録媒体」、「記録ヘッド」、「ノズル面」、「吸引キャップ」、「吸引ポンプ手段」、「制御手段」、「インクジェットプリンタ」、「ポンプハウジング」、「ピストン部材」、「最小状態」に相当する。
　　　そうすると、両者の一致点及び相違点は、以下のとおりものと認められる。
　　
＜一致点＞
「記録媒体にインクを噴射して記録を行う記録ヘッドと、該記録ヘッドのノズル面に接離可能に接触する吸引キャップを有し該吸引キャップを通じて記録ヘッドのインクを吸引する吸引ポンプ手段と、該吸引ポンプ手段を駆動制御する制御手段とを備えるインクジェットプリンタの回復装置において、
　　前記吸引ポンプ手段は、ポンプハウジング内において相対移動可能な２個のピストン部材を有し、
　　前記制御手段は、
　前記吸引キャップをノズル面に密着させた状態で前記記録ヘッドからインクを吸引するために、前記２つのピストン部材の間のポンプ室を最小状態から所定の大きさに拡大する吸引動作、及びその拡大状態から最小状態に戻す動作を一連の動作として行うインクジェットプリンタの回復装置。」
　　
＜相違点Ａ＞
本願補正発明では、制御手段が「前記一つの吸引動作において、前記２つのピストン部材の間隔を、一つの最大吸引負圧に向け間欠的かつ徐々に吸引負圧が増大する周期とストローク量とで順次変化させて最終的に目標の間隔とする」との特定を有するのに対し、引用発明にはそのような特定がない点。
　　
４．相違点の判断
　　　上記相違点Ａについて検討する。
　　
　　　上記相違点Ａには「前記一つの吸引動作」との記載があるが、本願補正発明においては「一つの吸引動作」との文言がそれより前には記載されていないことから、「前記一つの吸引動作において、前記２つのピストン部材の間隔を、一つの最大吸引負圧に向け間欠的かつ徐々に吸引負圧が増大する周期とストローク量とで順次変化させて最終的に目標の間隔とする」の意味が必ずしも明確とはいえないが、これは「２つのピストン部材の間のポンプ室を最小状態から所定の大きさに拡大する吸引動作」において、
少なくとも
　　　
　　　これを踏まえて検討を進めると、引用例２には、インクタンク３をキャリッジ３０にセットし、ヘッドユニット１にキャップ部材４を装着してポンプ５を作動させると、ポンプ５の吸引力がキャップ部材４を介してノズル開口２７に作用するが、このときの吸引動作は、インクの泡立ちが生じないように、所定時間（例えば０．１乃至１秒）が経過した段階で、所定時間（例えば０．１乃至１秒）ポンプを停止させるといったことを複数回繰り返す、間欠的な吸引動作を有するものであることが記載されている。（引用例２の記載ク参照）。
　　　ところで、引用例１には「インク流路には、・・・キャリッジ１６に載置された図示しないインク供給装置からインクが供給される。」（引用例１の記載ア参照）、「インク供給装置のインクカートリッジが交換された場合」（引用例１の上記記載カ参照）との記載があることから、インクカートリッジ（インクタンク）をキャリッジに交換可能にセットすることが把握でき、そうすると、２つのピストン部材を利用する引用発明においても、引用例２記載のように、インクタンクセット時に泡立ちが生じないよう、間欠的な吸引動作を行うことは当業者が容易に考え付くことである。
　　　ここで、引用発明は２つのピストン部材を相対的に移動させるものであるから、この２つのピストン部材を間欠的に移動させる以上、２つのピストン部材の間隔が所定の周期とストローク量とで順次変化することは自明であって、さらに、２つのピストン部材の間隔を変化させるにあたり、それの最終的な目標の間隔が存在するのは当然であるから、引用発明及び引用例１並びに引用例２の記載から、「２つのピストン部材の間のポンプ室を最小状態から所定の大きさに拡大する吸引動作において、２つのピストン部材の間隔を、間欠的に所定の周期とストローク量とで順次変化させて最終的に目標の間隔とする」との構成が導ける。
　　
　　　そうすると、上記相違点において更に検討すべきは、２つのピストン部材の間隔を変化させる際の吸引負圧についてである。
　　　２つのピストン部材の間隔を間欠的に所定の周期とストローク量とで順次変化させていくときに、吸引時間を短くかつ吸引停止時間を長くしたりピストン部材の移動速度を遅くしたりして、吸引負圧をそれ程上げないようにすれば、確かにインクの泡立ちを極力抑えることが可能となることが理解できるものの、引用例１の記載カにあるように、インクカートリッジ交換時等は、吸引，吐出を複数回繰り返してインクを多量に吸引する必要があるのだから、吸引動作の全時間を短くすることも当然に要求されるのであって、当業者であれば、インクの吸引にかかる時間とインクの泡立ちとのバランスを考慮して、適宜好適なインク吸引態様を選択し得るものと解される。
　　　そして、２つのピストン部材による間欠的なインク吸引動作において、２つのピストン部材の間のポンプ室が大気圧に戻る前に次の吸引を始めること、言い換えれば、２つのピストン部材の間隔を、一つの最大吸引負圧に向け徐々に吸引負圧が増大する周期とストローク量とで順次変化させることは、インク吸引にかかる時間を短くしようとすればごく普通に採り得るインク吸引態様であるから、これを採用することに何ら困難性は認められない。
　　　すなわち、上記相違点Ａに係る本願補正発明の構成を想到することは、引用発明及び引用例２記載の発明に基づき当業者が容易になし得ることである。
　　
　　　そして、上記相違点Ａに係る構成を採用したことにより、格別の作用効果が奏されるとも認めることはできない。
　　　したがって、本願補正発明は、引用発明及び引用例２記載の発明に基づき、当業者が容易に発明をすることができたものである。
　　
５．まとめ　
　　　以上のとおり、本願補正発明は、引用発明及び引用例２記載の発明に基づいて当業者が容易に発明をすることができたものであるから、特許法第２９条第２項の規定により特許出願の際独立して特許を受けることができない。
　　
［補正の却下の決定のむすび］
　　　本件補正は、平成６年改正前特許法第１７条の２第５項において準用する同法第１２６条第４項の規定に違反するので、同法第１５９条第１項の規定において読み替えて準用する同法第５３条第１項の規定により却下すべきものである。
　　　よって、補正の却下の結論のとおり決定する。
　
第３　本願発明について
　
１．本願発明の認定
　　　本件補正が却下されたから、本願の請求項２に係る発明（以下、「本願発明」という。）は、平成１４年７月２２日付け手続補正により補正された明細書の特許請求の範囲の請求項２に記載された事項によって特定される次のとおりのものと認める。
　　
「記録媒体にインクを噴射して記録を行う記録ヘッドと、該記録ヘッドのノズル面に接離可能に接触する吸引キャップを有し該吸引キャップを通じて記録ヘッドのインクを吸引する吸引ポンプ手段と、該吸引ポンプ手段を駆動制御する制御手段とを備えるインクジェットプリンタの回復装置において、
　　前記吸引ポンプ手段は、ポンプハウジング内において相対移動可能な２個のピストン部材を有し、
　　前記制御手段は、
　前記吸引キャップをノズル面に密着させて前記吸引ポンプ手段により前記記録ヘッドからインクを吸引する一つの吸引動作において、前記２つのピストン部材の間隔を、一つの最大吸引負圧に向け間欠的かつ徐々に吸引負圧が増大する周期とストローク量とで順次変化させて最終的に目標の間隔とすることを特徴とするインクジェットプリンタの回復装置。」
　　
２．引用発明の認定
　　　原査定の拒絶の理由に引用された刊行物、その記載事項及び引用発明は、前記第２の２．に記載したとおりである。
　
３．本願発明と引用発明との対比
　　　本願発明と引用発明とを対比すると、引用発明の「記録用紙３２」、「インク噴射ヘッド１４」、「インク噴射ヘッドの先端面のノズル列を囲む部分」、「キャップゴム３６」、「吸引装置５８」、「制御装置３０」、「インクジェット記録装置」、「本体６０」、「ピストン６２，６４」は、それぞれ、本願発明の「記録媒体」、「記録ヘッド」、「ノズル面」、「吸引キャップ」、「吸引ポンプ手段」、「制御手段」、「インクジェットプリンタ」、「ポンプハウジング」、「ピストン部材」に相当する。
　　　また、引用発明の
「前記制御装置３０は、
　前記キャップゴム３６をインク噴射ヘッド１４の先端面のノズル列を囲む部分に密着させた状態で前記インク噴射ヘッド１４からインクを吸引するために、前記一対のピストン６２，６４の間のポンプ室６９がピストン６４がピストン６２のフランジ９３に当接する状態から一定の容積に拡大する吸引動作、及びその拡大状態からピストン６４がピストン６２のフランジ９３に当接する状態に戻す動作を一連の動作として行う」
と、本願発明の
「前記制御手段は、
　前記吸引キャップをノズル面に密着させて前記吸引ポンプ手段により前記記録ヘッドからインクを吸引する一つの吸引動作において、前記２つのピストン部材の間隔を、一つの最大吸引負圧に向け間欠的かつ徐々に吸引負圧が増大する周期とストローク量とで順次変化させて最終的に目標の間隔とする」
とは、
「前記制御手段は、
　前記吸引キャップをノズル面に密着させて前記吸引ポンプ手段により前記記録ヘッドからインクを吸引する一つの吸引動作において、前記２つのピストン部材の間隔を変化させるものである」点で共通する。
　　
　　　よって、両者の一致点及び相違点は、以下のとおりものと認められる。
　　
＜一致点＞
「記録媒体にインクを噴射して記録を行う記録ヘッドと、該記録ヘッドのノズル面に接離可能に接触する吸引キャップを有し該吸引キャップを通じて記録ヘッドのインクを吸引する吸引ポンプ手段と、該吸引ポンプ手段を駆動制御する制御手段とを備えるインクジェットプリンタの回復装置において、
　　前記吸引ポンプ手段は、ポンプハウジング内において相対移動可能な２個のピストン部材を有し、
　　前記制御手段は、
　前記吸引キャップをノズル面に密着させて前記吸引ポンプ手段により前記記録ヘッドからインクを吸引する一つの吸引動作において、前記２つのピストン部材の間隔を変化させるものであるインクジェットプリンタの回復装置。」
　　
＜相違点Ｂ＞
本願発明では、制御手段がなす一つの吸引動作における２つのピストン部材の間隔の変化が、「前記２つのピストン部材の間隔を、一つの最大吸引負圧に向け間欠的かつ徐々に吸引負圧が増大する周期とストローク量とで順次変化させて最終的に目標の間隔とする」ものであるのに対して、引用発明では、そのような特定がない点。
　　
４．相違点の検討
　　
　　　引用例２には、インクタンク３をキャリッジ３０にセットし、ヘッドユニット１にキャップ部材４を装着してポンプ５を作動させると、ポンプ５の吸引力がキャップ部材４を介してノズル開口２７に作用するが、このときの吸引動作は、インクの泡立ちが生じないように、所定時間（例えば０．１乃至１秒）が経過した段階で、所定時間（例えば０．１乃至１秒）ポンプを停止させるといったことを複数回繰り返す、間欠的な吸引動作を有するものであることが記載されている。（引用例２の記載ク参照）。
　　　ところで、引用例１には「インク流路には、・・・キャリッジ１６に載置された図示しないインク供給装置からインクが供給される。」（引用例１の記載ア参照）、「インク供給装置のインクカートリッジが交換された場合」（引用例１の上記記載カ参照）との記載があることから、インクカートリッジ（インクタンク）をキャリッジに交換可能にセットすることが把握でき、そうすると、２つのピストン部材を利用する引用発明においても、引用例２記載のように、インクタンクセット時に泡立ちが生じないよう、間欠的な吸引動作を行うことは当業者が容易に考え付くことである。
　　　ここで、引用発明は２つのピストン部材を相対的に移動させるものであるから、この２つのピストン部材を間欠的に移動させる以上、２つのピストン部材の間隔が所定の周期とストローク量とで順次変化することは自明であって、さらに、２つのピストン部材の間隔を変化させるにあたり、それの最終的な目標の間隔が存在するのは当然であるから、引用発明及び引用例１並びに引用例２の記載から、「２つのピストン部材の間隔を、間欠的に所定の周期とストローク量とで順次変化させて最終的に目標の間隔とする」との構成が導ける。
　　
　　　そうすると、上記相違点Ｂにおいて更に検討すべきは、２つのピストン部材の間隔を変化させる際の吸引負圧についてである。
　　　２つのピストン部材の間隔を間欠的に所定の周期とストローク量とで順次変化させていくときに、吸引時間を短くかつ吸引停止時間を長くしたりピストン部材の移動速度を遅くしたりして、吸引負圧をそれ程上げないようにすれば、確かにインクの泡立ちを極力抑えることが可能となることが理解できるものの、引用例１の記載カにあるように、インクカートリッジ交換時等は、吸引，吐出を複数回繰り返してインクを多量に吸引する必要があるのだから、吸引動作の全時間を短くすることも当然に要求されるのであって、当業者であれば、インクの吸引にかかる時間とインクの泡立ちとのバランスを考慮して、適宜好適なインク吸引態様を選択し得るものと解される。
　　　そして、２つのピストン部材による間欠的なインク吸引動作において、２つのピストン部材の間のポンプ室が大気圧に戻る前に次の吸引を始めること、言い換えれば、２つのピストン部材の間隔を、一つの最大吸引負圧に向け徐々に吸引負圧が増大する周期とストローク量とで順次変化させることは、インク吸引にかかる時間を短くしようとすればごく普通に採り得るインク吸引態様であるから、これを採用することに何ら困難性は認められない。
　　　すなわち、上記相違点Ｂに係る本願発明の構成を想到することは、引用発明及び引用例２記載の発明に基づき当業者が容易になし得ることである。
　
　　　そして、上記相違点Ｂに係る構成を採用したことにより、格別の作用効果が奏されるとも認めることはできない。
　　　したがって、本願発明は、引用発明及び引用例２記載の発明に基づき、当業者が容易に発明をすることができたものである。
　　
５．まとめ
　　　以上のとおり、本願発明は、引用発明及び引用例２記載の発明に基づいて当業者が容易に発明をすることができたものであるから、特許法第２９条第２項の規定により特許を受けることができない。
　
第４　むすび
　　　本件補正は却下されなければならず、本願発明が特許を受けることができない以上、本願のその余の請求項に係る発明について検討するまでもなく、本願は拒絶を免れない。
　　　よって、結論のとおり審決する。